(57)【要約】【課題】車両ドアを開けたときに車両ドア周辺の物体に接触することを確実に未然に防ぐことができる警告装置を提供する。【解決手段】車両ドアと車両周辺の物体との距離に基づいて所定の報知を行う警告装置において、車両ドアと車両ドア周辺の物体との距離を取得する。車両ドアがロック（施錠）されている場合、取得した距離が所定距離未満である場合には、車両ドアのアンロック（開錠）を禁止する。車両ドアのアンロック操作を検知し、検知回数をカウントする。検知回数が複数回となった場合、車両ドアのアンロックの禁止を解除する。【選択図】図３
2010158990.tif 000002
【特許請求の範囲】
【請求項１】
車両ドアと該車両ドア周辺の物体との距離を取得し、取得した距離に基づいて所定の報知を行う警告装置において、
前記車両ドアが施錠されている場合、取得した距離に基づいて前記車両ドアの開錠を禁止する禁止手段と、
前記車両ドアの開錠操作を検知する検知手段と、
該検知手段が開錠操作を検知した回数を計数する計数手段と、
該計数手段による計数結果が所定値以上となった場合、前記禁止手段による開錠の禁止を解除する解除手段と
を備えることを特徴とする警告装置。
【請求項２】
取得した距離に基づいて前記車両ドアが前記物体に接触することを警告する警告手段
をさらに備えることを特徴とする請求項１に記載の警告装置。
【請求項３】
車両のシフトレバーがパーキングレンジに位置していることを検出する位置検出手段と、
車両のサイドブレーキが作動していることを検出する作動検出手段と
をさらに備え、
前記警告手段は、
前記シフトレバーがパーキングレンジに位置している場合、又は前記サイドブレーキが作動している場合に警告するようにしてある
ことを特徴とする請求項２に記載の警告装置。
【請求項４】
前記警告手段は、
音により警告するようにしてあり、
取得した距離に基づいて、前記警告手段の音量を決定する音量決定手段
をさらに備えることを特徴とする請求項２又は３に記載の警告装置。
【請求項５】
前記シフトレバーがパーキングレンジに位置している場合、又は前記サイドブレーキが作動している場合、
前記警告手段は、
取得した距離がＤ１未満であるとき第１警告を行い、
取得した距離が前記Ｄ１以上Ｄ２未満（Ｄ１＜Ｄ２）であるとき前記第１警告より小さい音量の第２警告を行い、
取得した距離が前記Ｄ２以上であるとき警告を行わないようにしてあり、
前記禁止手段は、
取得した距離がＤ１未満であるとき前記車両ドアの開錠を禁止し、
取得した距離が前記Ｄ１以上であるとき前記車両ドアの開錠の禁止を行わないようにしてある
ことを特徴とする請求項４に記載の警告装置。
【請求項６】
前記車両ドアを施錠又は開錠する施開錠手段と、
該施開錠手段が前記車両ドアを開錠した場合、取得した距離に基づいて、前記車両ドアを強制的に施錠する強制施錠手段と
をさらに備えることを特徴とする請求項１から５の何れか一つに記載の警告装置。
【発明の詳細な説明】
【技術分野】
【０００１】
本発明は、車両ドアと車両周辺の物体との距離に基づいて所定の報知を行う警告装置に関する。
【背景技術】
【０００２】
特許文献１には、車両周辺にある障害物にドアが接触しないようドアの開放を音声等により案内する支援装置が開示されている。特許文献１に記載の支援装置は、車両に距離センサを設けており、車両周辺の障害物までの距離及び傾き等を計測する。そして、ドアの長さ及びドアの開放角度等から、ドアが障害物に接触しないように音声等によって案内を行うようになっている。これにより、ドアを開放する際に車両周囲にある障害物とドアとの接触を防ぐことが可能となっている。
【先行技術文献】
【特許文献】
【０００３】
【特許文献１】特開２００３−１０４０５５号公報
【発明の概要】
【発明が解決しようとする課題】
【０００４】
しかしながら、特許文献１のように音声等によりドアの開放を案内しても、運転者が案内よりも早くドアを開放した場合には、ドアと障害物との接触を防ぐことができない。例えば、特許文献１では、ドアロックの解除又はドアノブを引いたタイミングでドア開放の案内が開始されるため、運転者が停車後すぐにドアを開放した場合、ドア開放の案内が間に合わず、ドアと障害物とが接触するおそれがある。
【０００５】
本発明はかかる事情に鑑みてなされたものであり、その目的とするところは、車両ドアを開けたときに車両ドア周辺の物体に接触することを確実に未然に防ぐことができる警告装置を提供することにある。
【課題を解決するための手段】
【０００６】
本発明に係る警告装置は、車両ドアと該車両ドア周辺の物体との距離を取得し、取得した距離に基づいて所定の報知を行う警告装置において、前記車両ドアが施錠されている場合、取得した距離に基づいて前記車両ドアの開錠を禁止する禁止手段と、前記車両ドアの開錠操作を検知する検知手段と、該検知手段が開錠操作を検知した回数を計数する計数手段と、該計数手段による計数結果が所定値以上となった場合、前記禁止手段による開錠の禁止を解除する解除手段とを備えることを特徴とする。
【０００７】
本発明では、車両ドアと車両ドア周辺の物体との距離に基づいて、例えば搭乗者が降車する際に開けた車両ドアが物体に接触する距離である場合には車両ドアが開錠されることを禁止する。これにより、搭乗者が勢いよく車両ドアを開放して、車両ドアと物体とが接触するおそれを未然に防ぐことができる。そして、開錠操作が複数回なされた場合に、開錠の禁止を解除することで、搭乗者は車内に閉じ込められることなく降車することができる。
【０００８】
本発明に係る警告装置は、取得した距離に基づいて前記車両ドアが前記物体に接触することを警告する警告手段をさらに備えることを特徴とする。
【０００９】
本発明では、車両ドアと物体との距離に基づいて、例えば車両ドアが接触する距離である場合には警告することで、車両ドアと物体との接触を搭乗者に気付かせることができる。
【００１０】
本発明に係る警告装置は、車両のシフトレバーがパーキングレンジに位置していることを検出する位置検出手段と、車両のサイドブレーキが作動していることを検出する作動検出手段とをさらに備え、前記警告手段は、前記シフトレバーがパーキングレンジに位置している場合、又は前記サイドブレーキが作動している場合に警告するようにしてあることを特徴とする。
【００１１】
本発明では、運転者が降車する可能性が高いシフトレバーがパーキングレンジにある場合、又はサイドブレーキが作動している場合に、車両ドアと物体とが接触することを警告する。これにより、車両ドアと物体との接触を未然に防ぐことができる。
【００１２】
本発明に係る警告装置は、前記警告手段は、音により警告するようにしてあり、取得した距離に基づいて、前記警告手段の音量を決定する音量決定手段をさらに備えることを特徴とする。
【００１３】
本発明では、車両ドアと物体との距離によって音量を決定することで、搭乗者は、音量の大小により車両ドアと物体との距離がどの程度であるかを感覚的に把握することができる場合がある。
【００１４】
本発明に係る警告装置は、前記シフトレバーがパーキングレンジに位置している場合、又は前記サイドブレーキが作動している場合、前記警告手段は、取得した距離がＤ１未満であるとき第１警告を行い、取得した距離が前記Ｄ１以上Ｄ２未満（Ｄ１＜Ｄ２）であるとき前記第１警告より小さい音量の第２警告を行い、取得した距離が前記Ｄ２以上であるとき警告を行わないようにしてあり、前記禁止手段は、取得した距離がＤ１未満であるとき前記車両ドアの開錠を禁止し、取得した距離が前記Ｄ１以上であるとき前記車両ドアの開錠の禁止を行わないようにしてあることを特徴とする。
【００１５】
本発明では、車両ドアと物体との距離によって音量が異なる警告をし、また、車両ドアをアンロックできないようにすることで、車両ドアと物体とが接触するおそれを未然に防ぐことができる。さらに、シフトレバーがパーキングレンジにある場合、又はサイドブレーキが作動している場合、搭乗者、特に運転者は降車する可能性が高いため、これらの場合に警告等を行うことで、より確実に車両ドアと物体とが接触するおそれを未然に防ぐことができる。
【００１６】
本発明に係る警告装置は、前記車両ドアを施錠又は開錠する施開錠手段と、該施開錠手段が前記車両ドアを開錠した場合、取得した距離に基づいて、前記車両ドアを強制的に施錠する強制施錠手段とをさらに備えることを特徴とする。
【００１７】
本発明では、車両ドアと物体とが接触する場合に開錠された車両ドアを強制的に施錠することで、搭乗者が勢いよく車両ドアを開放して、車両ドアと物体とが接触するおそれを未然に防ぐことができる。
【発明の効果】
【００１８】
本発明は、車両ドアと車両ドア周辺の物体との距離に基づいて、例えば搭乗者が降車する際に開けた車両ドアが物体に接触する距離である場合には車両ドアが開錠されることを禁止する。これにより、搭乗者が勢いよく車両ドアを開放して、車両ドアと物体とが接触するおそれを未然に防ぐことができる。そして、開錠操作が複数回なされた場合に、開錠の禁止を解除することで、搭乗者は車内に閉じ込められることなく降車することができる。
【図面の簡単な説明】
【００１９】
【図１】実施形態に係る警告装置の構成を模式的に示すブロック図である。
【図２】距離Ｄ１、Ｄ２を説明するための模式図である。
【図３】距離Ｔに対応する警告内容を決定するためのデータテーブルの模式図である。
【図４】警告装置のＥＣＵが実行する処理を示すフローチャートである。
【図５】図１に示す警告装置が単独のＥＣＵとして構成した場合のブロック図である。
【発明を実施するための形態】
【００２０】
以下、本発明に係る警告装置の好適な実施形態について図面を参照して説明する。
【００２１】
図１は、本実施形態に係る警告装置の構成を模式的に示すブロック図である。警告装置１は、図示しないシリアル通信線又はＣＡＮ（Controller Area Network）通信線等を介して、制御機器、計器類又はスイッチ類等の車載機器と通信可能となっている。そして、警告装置１は、必要なデータを通信線を介して適宜取得すると共に、他の車載機器を駆動する制御信号及びデータ等を出力する。
【００２２】
警告装置１は、ＥＣＵ（Electronic Control Unit）２、距離取得部３、シフトレバー位置取得部４、サイドブレーキ状態取得部５、ロックＳＷ取得部６、及び制御出力部７を備えている。
【００２３】
ＥＣＵ２は、内部バスにより接続されたＣＰＵ（Central Processing Unit）又はＭＰＵ（Micro Processing Unit）、ＲＯＭ（Read Only Memory）及びＲＡＭ（Random Access Memory）等から構成されるマイコンを備え、ＲＯＭに記憶された制御プログラムに従うＣＰＵ等の動作により各種制御を実施するように構成されている。ＥＣＵ２は、車両ドアが開けられた際に車両周辺の障害物に接触するか否かを判定し、判定結果に応じて警告装置１の各部の動作を制御し、搭乗者に接触を警告する。ＥＣＵ２の動作は後に詳述する。なお、車両周辺の障害物とは、自車両の隣に駐車された他の車両、塀又はフェンス等である。
【００２４】
距離取得部３は、車両に搭載された距離センサ３Ｓが検出した距離を取得する。距離センサ３Ｓは、超音波又はレーザー等により自身と対向する領域にある物体との距離を計測する。例えば駐車場において他の車両に平行して駐車している場合、又は壁に平行に駐車している場合、距離センサ３Ｓは、車両ドアから車両ドアに対向する他の車両又は壁までの距離を計測するよう設けられている。なお、距離センサ３Ｓは、全ての車両ドアに対して距離を計測するよう複数設けられていてもよいし、一つの車両ドアに対して距離を計測するよう設けられていてもよい。また、警告装置１自身が距離センサ３Ｓを備えて距離を検出するようにしてもよいし、他の車載機器が備えた距離センサが検出した距離を取得するようにしてもよい。
【００２５】
シフトレバー位置取得部４は、ギアチェンジ用のシフトレバー４１の位置を取得する。シフトレバー位置取得部４が取得した位置により、ＥＣＵ２は、シフトレバー４１がパーキングレンジ（以下、Ｐレンジと言う）に位置していることを検出する。サイドブレーキ状態取得部５は、サイドブレーキ５１のオンオフを取得する。
【００２６】
ロックＳＷ取得部６は、ロックスイッチ（以下、ロックＳＷと言う）６Ｓのオンオフを取得する。ロックＳＷ６Ｓは、車両ドアをロック（施錠）又はアンロック（開錠）するスイッチである。車両ドアは、ロックＳＷ６Ｓがオンされることでロックされ、オフされることでアンロックされる。ロックＳＷ６Ｓは、全ての車両ドアのロック又はアンロックが可能な集中ドアロックスイッチであってもよいし、各車両ドアそれぞれに設けられ、設けられた車両ドアのロック又はアンロックを行うスイッチであってもよい。
【００２７】
制御出力部７は、他の車載機器、例えばスピーカ７１、警告灯７２及びドアロックモータ７３等の動作を制御する制御信号を出力する。スピーカ７１は、例えばオーディオ装置のスピーカである。警告灯７２は、例えば計器盤に設けられたＬＥＤ（Light-Emitting Diode）である。ドアロックモータ７３は、ロックＳＷ６Ｓのオンオフに応じて車両ドアをロック及びアンロックするモータである。スピーカ７１及び警告灯７２は、警告装置１自身が備えていてもよい。
【００２８】
ＥＣＵ２は、開けた車両ドアが車両周辺の障害物に接触する可能性がある場合、スピーカ７１、警告灯７２及びドアロックモータ７３を駆動制御して、接触を警告する。具体的には、ＥＣＵ２は、スピーカ７１からブザー等の警告音を出力し、警告灯７２を点灯又は点滅させる。これにより、搭乗者は、視覚及び聴覚の両方から警告を把握することができる。また、ＥＣＵ２は、ロックＳＷ６Ｓがオフされてアンロックされた場合、ドアロックモータ７３を駆動し、強制的に車両ドアをロックさせる。これにより、搭乗者は、降車することができず、間接的に車両ドアが接触することを把握できる場合がある。
【００２９】
ＥＣＵ２は、距離センサ３Ｓから取得した距離（以下、距離Ｔと言う）に基づいて警告内容を決定し、スピーカ７１、警告灯７２及びドアロックモータ７３それぞれを駆動制御する。ＥＣＵ２は、予め決定された距離Ｄ１、Ｄ２（Ｄ１＜Ｄ２）を用いて、距離Ｔを、距離Ｄ１未満と、距離Ｄ１以上Ｄ２未満と、距離Ｄ２以上との３段階に分類し、その分類結果に応じて警告内容を決定する。
【００３０】
図２は、距離Ｄ１、Ｄ２を説明するための模式図である。図２は、車両を上方から見た状態を示している。距離Ｄ１、Ｄ２は、車両ドアの長さ及び車両ドアの可動範囲に基づき決定される。距離Ｄ１は、例えば搭乗者が降車できない又は降車し難い幅しか車両ドアを開けることができない距離である。距離Ｄ２は、搭乗者が十分に降車可能な幅に車両ドアを開けることができる距離である。ＥＣＵ２は、距離Ｔが距離Ｄ１未満の場合、搭乗者が車両ドアを開ける際、車両ドアが障害物に確実に接触すると判定する。また、ＥＣＵ２は、距離Ｔが距離Ｄ１以上Ｄ２未満の場合、車両ドアが障害物に接触する可能性が高いと判定する。さらに、ＥＣＵ２は、距離Ｔが距離Ｄ２以上の場合、車両ドアが障害物に接触する可能性がないと判定する。なお、距離Ｄ１及びＤ２の値は、適宜変更可能である。
【００３１】
図３は、距離Ｔに対応する警告内容を決定するためのデータテーブルの模式図である。
【００３２】
距離Ｔが距離Ｄ１未満の場合、ＥＣＵ２は、スピーカ７１及び警告灯７２により警告Ａを行い、また、車両ドアのアンロックを禁止するロック制御を行う。警告Ａでは、スピーカ７１は、後述の警告Ｂよりも大きい音量で警告音を出力し、警告灯７２は点灯する。ＥＣＵ２がロック制御を行った場合、ロックＳＷ６Ｓがオフされても車両ドアはロック状態を維持する。より具体的には、ロックＳＷ６Ｓが上述の集中ドアロックスイッチである場合、ＥＣＵ２は、ロックＳＷ６Ｓがオフされても、アンロックを行わないようにドアロックモータ７３の駆動を停止する。また、ロックＳＷ６Ｓが各車両ドアに設けられたスイッチである場合、ＥＣＵ２は、ドアロックモータ７３を駆動し、ロックＳＷ６Ｓがオフされてアンロックされた両ドアを強制的にロックする。これにより、オフとなったロックＳＷ６Ｓは、強制的にオンに切り替えられる。
【００３３】
距離Ｔが距離Ｄ１以上Ｄ２未満の場合、ＥＣＵ２は、スピーカ７１及び警告灯７２により警告Ｂを行う。警告Ｂでは、スピーカ７１は、警告Ａよりも小さい音量で警告音を出力し、警告灯７２は点滅する。距離Ｔによって、警告音量を変化させることで、搭乗者は、車両ドアと物体との距離がどの程度であるかを感覚的に把握することができる場合がある。このとき、ＥＣＵ２は、ロック制御を行わない。従って、車両ドアは、ロックＳＷ６Ｓのオンオフに従って、ロック及びアンロックされる。距離Ｔが距離Ｄ２以上の場合、ＥＣＵ２は、スピーカ７１及び警告灯７２による警告及びロック制御を行わない。
【００３４】
以上のように、車両ドアが周囲の障害物に確実に接触するときは、車両ドアが開錠されないようにすることで、接触を未然に防ぐことができる。また、距離Ｔが距離Ｄ１以上Ｄ２未満の場合は接触の可能性が高いが、搭乗者の体形によって異なるため、音及び光のみにより警告することで車両ドアの開閉操作に注意を喚起することができる。
【００３５】
次に、警告装置１の動作について説明する。図４は、警告装置１のＥＣＵ２が実行する処理を示すフローチャートである。
【００３６】
ＥＣＵ２は、シフトレバー４１の位置を取得し（Ｓ１）、シフトレバー４１がＰレンジであるか否かを判定する（Ｓ２）。シフトレバー４１の位置がＰレンジの場合（Ｓ２：ＹＥＳ）、ＥＣＵ２は、搭乗者が降車する可能性が高いと判定し、処理をＳ５に移す。シフトレバー４１の位置がＰレンジでない場合（Ｓ２：ＮＯ）、ＥＣＵ２は、サイドブレーキ５１の状態を取得し（Ｓ３）、サイドブレーキ５１がオンにされたか否かを判定する（Ｓ４）。サイドブレーキ５１がオンの場合（Ｓ４：ＹＥＳ）、搭乗者が降車する可能性が高いと判定し、ＥＣＵ２は、処理をＳ５に移す。サイドブレーキ５１がオンでない場合（Ｓ４：ＮＯ）、ＥＣＵ２は、ロックＳＷ６Ｓがオフされる操作の回数を取得するためのフラグをオフにし（Ｓ１３）、本処理を終了する。フラグは、ロックＳＷ６Ｓがオフされる操作が一度行われたとき、ＥＣＵ２によりオンされる。操作回数は、車両ドアを強制的にロックする際に用いられる。
【００３７】
ＥＣＵ２は、距離センサ３Ｓが検出した距離Ｔを取得し（Ｓ５）、距離Ｔが距離Ｄ１未満であるか否かを判定する（Ｓ６）。距離Ｔが距離Ｄ１未満である場合（Ｓ６：ＹＥＳ）、ＥＣＵ２は、車両ドアが障害物に接触すると判定し、警告Ａを行う（Ｓ７）。具体的には、ＥＣＵ２は、スピーカ７１及び警告灯７２へ制御信号を出力する。そして、ＥＣＵ２は、アンロック操作、即ちロックＳＷ６Ｓがオフされる操作が行われたか否かを判定する（Ｓ８）。
【００３８】
ロックＳＷ６Ｓがオフされる操作が行われていない場合（Ｓ８：ＮＯ）、ＥＣＵ２は、本処理を終了する。ロックＳＷ６Ｓがオフされる操作が行われた場合（Ｓ８：ＹＥＳ）、ＥＣＵ２は、フラグがオンであるか否かを判定する（Ｓ９）。ＥＣＵ２は、操作が一度行われたときにフラグをオンにすることで、Ｓ８でのアンロック操作の回数が１回目であるか否かを判定する。従って、フラグがオンでなければ、ＥＣＵ２は、Ｓ８でのアンロック操作の回数が１回目であると判定する。フラグがオンでない場合（Ｓ９：ＮＯ）、即ち、Ｓ８でのアンロック操作が１回目である場合、ＥＣＵ２は、Ｓ８でアンロックされた車両ドアを強制的に再びロックする（Ｓ１０）。そして、ＥＣＵ２は、フラグをオンにして１回目のアンロック操作が行われたことを記録する（Ｓ１１）。これにより、オフにされたロックＳＷ６Ｓがオンに強制的に切り替わる。なお、Ｓ８及びＳ１０において、ロックＳＷ６Ｓが集中ドアロックである場合、ＥＣＵ２は、ロックＳＷ６Ｓがオフされても無効とする処理を行ってもよい。
【００３９】
フラグがオンである場合（Ｓ９：ＹＥＳ）、即ち、Ｓ８でのアンロック操作が２回目である場合、ＥＣＵ２は、ドアロックモータ７３を駆動し、車両ドアをアンロックする（Ｓ１２）。その後、ＥＣＵ２は、本処理を終了する。このように、距離Ｔが距離Ｄ１未満である場合、車両ドアはアンロックが禁止される。そして、ロックＳＷ６Ｓがオフ操作される回数をカウントし、２回オフ操作されたときに車両ドアはアンロックされる。なお、ＥＣＵ２は、ロックＳＷ６Ｓが３回以上オフされた場合に、車両ドアをアンロックするようにしてもよい。
【００４０】
距離Ｔが距離Ｄ１未満でない場合（Ｓ６：ＮＯ）、ＥＣＵ２は、距離Ｔが距離Ｄ１以上で距離Ｄ２未満であるか否かを判定する（Ｓ１４）。距離Ｔが距離Ｄ１以上で距離Ｄ２未満である場合（Ｓ１４：ＹＥＳ）、ＥＣＵ２は、車両ドアが障害物に接触する可能性が高いと判定し、警告Ｂを行う（Ｓ１５）。具体的には、ＥＣＵ２は、スピーカ７１及び警告灯７２へ制御信号を出力する。そして、ＥＣＵ２は、処理をＳ１６に移し、ロックＳＷ６Ｓがオフにされた場合に、車両ドアをアンロックする。
【００４１】
距離Ｔが距離Ｄ１以上で距離Ｄ２未満でない場合（Ｓ１４：ＮＯ）、即ち、距離Ｔが距離Ｄ２以上である場合、ＥＣＵ２は、車両ドアが障害物に接触しないと判定し、警告Ｂをすることなく処理をＳ１６に移す。そして、ＥＣＵ２は、ロックＳＷ６Ｓがオフにされた場合に、車両ドアをアンロックする。
【００４２】
以上説明したように、本実施形態の警告装置１は、車両ドアとその周辺の障害物との距離によって、車両ドアのアンロック操作を禁止し、また、アンロックされた車両ドアを強制的にロックする構成となっている。これにより、搭乗者が勢いよく車両ドアを開放して、車両ドアと障害物とが接触するおそれを未然に防ぐことができる。
【００４３】
以上、本発明の好適な一実施の形態について、具体的に説明したが、各構成及び動作等は適宜変更可能であって、上述の実施の形態に限定されることはない。図５は、図１に示す警告装置が単独のＥＣＵとして構成した場合のブロック図である。この場合、ＥＣＵ１０は、全体の動作を制御するＣＰＵ９及びＣＰＵ９が実行するプログラム等を記憶する記憶部８を備える。図１と図５との構成の組み合わせ、すなわち図５の各取得部及び出力部のうち、いくつかを別ＥＣＵとして通信線で結ぶ構成としてもよい。また、ロックをＳＷのオン、アンロックをＳＷのオフとして説明したが、逆の構成でもよく、また、接点を２つ持つ跳ね返りスイッチの、接点１、接点２をそれぞれ割り当てる構成でもよい。
【符号の説明】
【００４４】
１  警告装置
２  ＥＣＵ（禁止手段、計数手段、解除手段）
３  距離取得部
４  シフトレバー位置取得部（位置検出手段）
５  サイドブレーキ状態取得部（作動検出手段）
６  ロックＳＷ取得部（検知手段、解除手段）
７  制御出力部（警告手段、解除手段）
【図１】
2010158990.tif 000003
【図２】
2010158990.tif 000004
【図３】
2010158990.tif 000005
【図４】
2010158990.tif 000006
【図５】
2010158990.tif 000007